(57)【要約】  【課題】  設計上の制限を低減できる階段式移動観覧席を提案する。  【解決手段】段床２は、座体１１と、段床２における座体１１よりも前方の位置に配置される背もたれ１２とを備える。座体１１は、座体１１が段床２に沿う位置である下方位置と、段床２から上方に間隔を有する位置である上方位置と、の間で移動可能に支持される。背もたれ１２は、段床２の前方部分に設けられる回転軸１７を中心に、前方位置と後方位置の間で移動可能に支持される。背もたれ１２と、直下段床の座体１１と、が協働して１つの座体１１及び背もたれ１２を有する椅子を構成する。【選択図】図１
2015052224.tif 000002
【特許請求の範囲】
【請求項１】
高さの異なる複数の段床を備え、前記複数の段床が上下方向に重なった状態である収納状態と、前記複数の段床が階段状に展開されて観覧席を構成する状態である使用状態と、に遷移可能な階段式移動観覧席であって、
前記段床には、着座面を有する座体と、前記段床における前記座体よりも前方の位置に配置される背もたれと、が設けられている
ことを特徴とする階段式移動観覧席。
【請求項２】
前記座体を、前記座体が前記段床に沿う下方位置と、前記座体が前記段床から上方に間隔を有する上方位置と、の間で移動可能に支持する座体支持部を備える
ことを特徴とする請求項１に記載の階段式移動観覧席。
【請求項３】
前記背もたれを、前方位置及び該前方位置よりも後方の後方位置の間で移動可能に支持する背もたれ支持部と、
前記座体及び前記座体支持部の少なくともいずれか一方に設けられ、前記使用状態において前記座体支持部が前記座体を前記下方位置から前記上方位置に移動させる際に、前記前方位置にある前記背もたれと係合して前記背もたれを前記後方位置に移動させる背もたれ係合部と、を備える
ことを特徴とする請求項２に記載の階段式移動観覧席。
【請求項４】
前記背もたれを、前方位置及び該前方位置よりも後方の後方位置の間で移動可能に支持する背もたれ支持部と、
前記背もたれに設けられる第１部材と、前記背もたれが設けられる段床の１つ下側に位置する前記段床である直下段床に設けられる第２部材と、を含み、前記段床に対して前記直下段床が相対的に前方に移動する際に、前記第２部材が前記第１部材と係合して前記背もたれを前記後方位置に移動させる背もたれ移動機構と、を備える
ことを特徴とする請求項１又は請求項２に記載の階段式移動観覧席。
【請求項５】
前記背もたれを、前記背もたれが起き上がった起立位置と、前記背もたれが前記段床に沿って倒れた転倒位置と、の間で移動可能に支持する回転支持部を備え、
前記転倒位置は、前記背もたれが該段床に設けられる前記座体と垂直方向に関して重ならず、かつ、前記収納状態において該段床の１つ上側に位置する前記段床と接触しない位置である
ことを特徴とする請求項１又は請求項２に記載の階段式移動観覧席。
【発明の詳細な説明】
【技術分野】
【０００１】
本発明は、階段式移動観覧席に関する。
【背景技術】
【０００２】
従来、複数の段床を有する階段式移動観覧席が利用されている。階段式移動観覧席の段床は、前方へ引き出して階段状に展開できるとともに、後方へ移動させながら上下に重ね合わせて収納することができる。
【０００３】
このような階段式移動観覧席においても、一般的な椅子と同様に、着席可能な着座面を有する座体と背もたれとが設けられる。これら座体及び背もたれとして、収納時に段床の重ね合わせの妨げにならない位置に予め配置されているものや、段床の重ね合わせの妨げにならない位置に移動するように構成されたものがある。
【０００４】
例えば、リンク機構により座体と背もたれを同時に移動させるように構成された階段式移動観覧席が提案されている（特許文献１参照）。
【先行技術文献】
【特許文献】
【０００５】
【特許文献１】特開平１０−３２７９６６号公報
【発明の概要】
【発明が解決しようとする課題】
【０００６】
特許文献１に記載された階段式移動観覧席は、座体と背もたれとが連結しているため、座体や背もたれ、及びそれらの移動を実現するリンク機構が段床の一部に集められて配置されることとなる。上下に隣接する段床の間の狭い空間内にそれらを配置するために、座体及び背もたれの構成やデザインについて設計上の制限が生じ易いという問題があった。
【０００７】
本発明の目的は、設計上の制限を低減できる階段式移動観覧席を提案することである。
【課題を解決するための手段】
【０００８】
上述した問題を解決するためになされた請求項１に記載の発明は、高さの異なる複数の段床を備え、これら複数の段床が上下方向に重なった状態である収納状態と、複数の段床が階段状に展開されて観覧席を構成する状態である使用状態と、に遷移可能な階段式移動観覧席であり、上記段床には、着座面を有する座体と、その段床における座体よりも前方の位置に配置される背もたれと、が設けられていることを特徴とする。
【０００９】
このように構成された階段式移動観覧席は、使用状態において、段床の座体よりも前方の位置に設けられる背もたれと、その段床の１つ下側に位置する段床（以降、直下段床とも記載する）に設けられる座体と、が協働して１つの椅子を構成する。換言すると、ある段床の背もたれが、直下段床の座体に人が着座する際の背もたれとして機能する。
【００１０】
即ち上記階段式移動観覧席は、１つの段床の前後に背もたれと座体とを離して配置しているが、使用状態においては椅子として利用できる。そして、背もたれと座体とを離して配置することで、それらを段床上に一体に形成する場合や一か所に集めて配置する場合に生じる設計上の制限が生じにくくなり、座体や背もたれの設計上の自由度を高めることができ、使用者の座り心地の向上や椅子のデザイン性の向上などを図ることができる。
【００１１】
上述した階段式移動観覧席において、座体は段床に対して固定されている構成であってもよいが、座体が段床に対して移動可能に支持される構成としてもよい。例えば、座体を、座体が段床に沿う下方位置と、座体が段床から上方に間隔を有する上方位置と、の間で移動可能に支持する座体支持部を階段式移動観覧席が備えるように構成することが考えられる。
【００１２】
このように構成された階段式移動観覧席では、使用者は段床に対して高い位置に配置された座体に着席することが可能となる。
また、背もたれも同様に、前方位置及び該前方位置よりも後方の後方位置の間で移動可能に支持する背もたれ支持部により移動可能に支持される構成としてもよい。
【００１３】
上記の場合、座体及び座体支持部の少なくともいずれか一方に設けられ、上記使用状態において座体支持部が座体を下方位置から上方位置に移動させる際に、前方位置にある前記背もたれと係合して背もたれを後方位置に移動させる背もたれ係合部を階段式移動観覧席が備えるように構成してもよい。
【００１４】
このように構成された階段式移動観覧席は、座体を移動させることによって背もたれを後方位置に移動させることができるため、背もたれを移動させる機構を別途設けたり、背もたれを手動で動かしたりする必要がなくなる。
【００１５】
また、上述した背もたれ支持部を備える場合において、背もたれに設けられる第１部材と、上述した直下段床に設けられる第２部材と、を含み、当該段床に対して直下段床が相対的に前方に移動する際に、第２部材が第１部材と係合して背もたれを上記後方位置に移動させる背もたれ移動機構を、さらに階段式移動観覧席が備えるように構成してもよい。
【００１６】
このように構成された階段式移動観覧席は、直下段床が当該段床に対して相対的に前方に移動することによって背もたれを後方位置に移動させることができるため、背もたれを移動させる機構を別途設けたり、背もたれを手動で動かしたりする必要がなくなる。
【００１７】
また背もたれは上述した背もたれ支持部とは異なる構成で支持されていてもよい。例えば背もたれを、背もたれが起き上がった起立位置と、背もたれが段床に沿って倒れた転倒位置と、の間で移動可能に支持する回転支持部を備える構成とすることが考えられる。その場合において、転倒位置は、背もたれが該段床に設けられる座体と垂直方向に関して重ならず、かつ、収納状態において該段床の１つ上側に位置する段床と接触しない位置としてもよい。
【００１８】
このように構成された階段式移動観覧席は、階段式移動観覧席を収納状態としたときに背もたれが上側の段床と接触することなく収納でき、またその際に背もたれが座体と垂直方向に関して重ならない位置となるため、座体と背もたれとが重なる場合よりも段床と段床との間を小さくすることが可能となる。
【図面の簡単な説明】
【００１９】
【図１】実施例１の階段式移動観覧席を示す側面図であって、使用状態を説明する図である。
【図２】実施例１の階段式移動観覧席を示す側面図であって、収納状態を説明する図である。
【図３】実施例２の階段式移動観覧席を示す側面図であって、使用状態を説明する図である。
【図４】実施例２の階段式移動観覧席を示す側面図であって、収納状態を説明する図である。
【図５】変形例の階段式移動観覧席を示す側面図である。
【発明を実施するための形態】
【００２０】
以下に本発明の実施形態を図面と共に説明する。
［実施例１］
（１）全体構成
階段式移動観覧席１は、図１に示すように、高さの異なる複数の段床２と、複数の段床２の下側に位置する最下段床３と、を有する。なお複数の段床２は、説明の便宜上２ａ〜２ｃと記載する場合がある。
【００２１】
図１は、階段式移動観覧席１が使用状態であるときの側面図である。使用状態とは複数の段床が階段状に展開されて観覧席を構成する状態であり、最下段床３が最前に位置し、下側の段床２ほど前方に位置するように展開される。なお、前方とは使用者が着席した場合に向く方向である。階段式移動観覧席１は前方が低くなるように階段状に展開される。
【００２２】
段床２（図中２ａ〜２ｃ）及び最下段床３は、下方に移動機構４ａ〜４ｃ、５をそれぞれ備えており、これらが床面を移動することにより段床２等の前後方向への移動が実現される。
【００２３】
段床２は、座体１１と、当該段床２における座体１１よりも前方の位置に配置される背もたれ１２とを備える。なお最下段床３は座体１１のみを備えており背もたれ１２を備えていない。
【００２４】
座体１１は、座体１１が段床２に沿う位置である下方位置と、段床２（３）から上方に間隔を有する位置である上方位置と、の間で移動する。下方位置とは、図１においては段床２ｂに設けられた座体１１の２点鎖線で示す位置であり、上方位置とは、図１においては段床２ａ、最下段床３に設けられた座体１１の位置である。
【００２５】
座体１１は、座体１１の下面に一端が連接されるリンク機構１５と、リンク機構１５を回転駆動させるモータ等の駆動装置を有する駆動機構１６と、によって上述した範囲で移動可能に支持されている。
【００２６】
背もたれ１２は、段床２の前方部分に設けられる回転軸１７を背もたれ１２に設けられる回転軸保持部１８が保持しており、それにより、回転軸１７を中心に、前方位置と、前方位置よりも後方の後方位置の間で移動可能に支持される。前方位置は、図１に示す段床の中では最上段の段床２ｃに設けられた実線で示す背もたれ１２の位置であり、後方位置は、その後方の２点鎖線で示す背もたれ１２の位置である。
【００２７】
背もたれ１２の移動は、座体１１の移動により実現される。具体的にはリンク機構１５及び駆動機構１６が座体１１を下方位置から上方位置に移動させる際に、下方位置と上方位置との間の位置において、段床２ｂの実線の座体１１と段床２ｃの実線の背もたれ１２のように、座体１１の後端部が背もたれ１２に接触する。そして、背もたれ１２は座体１１の上方位置への移動に伴って押されて後方位置に移動する。
【００２８】
そして、段床２ａの座体１１と段床２ｂの背もたれ１２のように、背もたれ１２と、直下段床の座体１１と、が協働して１つの座体１１及び背もたれ１２を有する椅子を構成する。換言すると、段床２に設けられる背もたれ１２が、該段床の１つ下側に位置する段床２である直下段床に設けられる座体１１に人が着座する際の背もたれとして機能する。
【００２９】
なお背もたれ１２は、回転軸１７近傍に設けられた付勢部材（例えば１７の周囲に巻き
つけられたコイルばね）により前方位置に付勢されており、座体１１に押されていない場合には付勢部材により前方位置に移動する。
【００３０】
図２は、階段式移動観覧席１が収納状態であるときの側面図である。収納状態とは複数の段床が上下方向に重なった状態である。収納状態において、座体１１は下方位置に移動している。また背もたれ１２は前方位置に位置しており、上下に重なる複数の段床２からは外側に突出している。
【００３１】
この収納状態から段床２及び最下段床３を前方に移動させて階段状に展開して使用状態とし、座体１１を上述したように上方位置に移動させ、またその過程で背もたれ１２が後方位置に移動して、使用者が着座可能な状態となる。
【００３２】
（２）効果
本実施例の階段式移動観覧席１では、１つの段床２に座体と背もたれとが離れて配置されているため、それらを段床上の一か所に集めて配置する場合に生じるような設計上の制限が生じにくい。従って、座体や背もたれの設計上の自由度を高めることができ、例えば座り心地の向上、デザイン性の向上などを図ることができる。
【００３３】
具体的には、空間を広く使うことができるようになるため、座体や背もたれの厚さを大きくしたり、カーブさせたりすることが容易にできるようになる。
また、背もたれ１２と座体１１とを離して配置することから、段床２への荷重の偏りを低減することが容易になり、また、人が乗ることによる段床２の傾きや振動を抑制するための機構を設ける際にも、その機構を簡素化することができる。
【００３４】
なお、従来のように背もたれと座体とを一体化してリンク機構を構成したものでは、リンクの支点から背もたれ又は座体の先端までの長さが大きくなってしまうため、リンクをスムーズに動作させるために、リンクを作動させるモータ等の駆動源を大型化したり、座体を軽量化したりする必要があるが、本実施例の階段式移動観覧席１ではそのような問題が生じない。
【００３５】
また、座体１１は階段式移動観覧席１を収納状態とするときには下方位置に移動させて段床２に近接させることができるため、上下の段床２の間隔を大きく設計する必要がなく、設計の自由度が向上する。また、上方位置においては段床２からの間隔が大きいため、使用者の着座時の快適性を高く維持することができる。
【００３６】
また、背もたれ１２は収納状態においては前方に回動することで段床２の重なりの妨げとならない。また座体１１に付勢されて後方位置に移動するため、背もたれ１２を移動させるための機構を別途設けたり、手動で移動させたりする必要がなくなる。
【００３７】
実施例１の階段式移動観覧席１において、リンク機構１５及び駆動機構１６が本発明における座体支持部の一例であり、回転軸１７及び回転軸保持部１８が本発明における背もたれ支持部の一例であり、座体１１が本発明における背もたれ係合部の一例である。
【００３８】
なお、本実施例においては、座体１１が背もたれ係合部として背もたれ１２に接触して押圧することで背もたれ１２を後方位置に移動させる構成を例示しているが、座体１１が上方位置に移動するための動作に応じて移動できるように構成されていれば、その具体的な機構は特に限定されない。
【００３９】
例えば、リンク機構１５の一部が背もたれ１２を押圧するように構成されていてもよい。また、座体１１やリンク機構１５が直接押圧する構成に限られず、座体１１やリンク機
構１５が背もたれ１２と係合して背もたれを後方位置に移動させる構成であればよい。
【００４０】
［実施例２］
（１）全体構成
実施例２の階段式移動観覧席は、実施例１の階段式移動観覧席１と比較して背もたれ１２の構成が相違する以外は同様の構成であるため、同様の構成は実施例１と同一の符号を用いて詳細な説明を割愛する。
【００４１】
階段式移動観覧席１ａが使用状態であるときの側面図を図３に示す。階段式移動観覧席１ａは、複数の段床２１（２１ａ〜２１ｃ）と、複数の段床２１の下側に位置する最下段床３と、を有する。
【００４２】
段床２１は、座体１１と、背もたれ２２とを備える。背もたれ２２は、回転軸１７を中心として、段床２１ａ及び２１ｂのように背もたれ２２が起き上がった起立位置と、段床２１ｃの２点鎖線で示すように背もたれ２２が段床２１ｃに沿って倒れた転倒位置と、の間で回動可能に支持される。
【００４３】
背もたれ２２は、図示しない駆動機構により自動的に回動される。そして、段床２１ａの座体１１と段床２１ｂの背もたれ２２のように、起立位置にある背もたれ２２と直下段床の座体１１とが協働して１つの座体１１及び背もたれ２２を有する椅子を構成する。
【００４４】
なお、駆動機構を設けず、手動で回転するように構成されていてもよい。また、後方に倒れることを抑制するロック機構を設けてもよい。
図４は、階段式移動観覧席１ａが収納状態であるときの側面図である。収納状態において、座体１１は下方位置に移動しており、背もたれ２２は転倒位置に位置している。
【００４５】
転倒位置は、背もたれ２２が当該段床２１に設けられる座体１１と垂直方向に関して重ならない位置である。また、背もたれ２２は当該段床２１の上の段床２１に接触せず、上下の段床２１間の隙間に収められている。
【００４６】
（２）効果
本実施例の階段式移動観覧席１ａも実施例１と同様に、座体と背もたれとを離して設置することができるため、座体や背もたれの設計上の自由度を高めることができる。また背もたれ２２が転倒位置にあるときは、座体１１と重ならない位置であるから、上下の段床２１の間隔を広く設計する必要がなく、設計の自由度が向上する。
【００４７】
［変形例］
以上本発明の実施例について説明したが、本発明は、上記実施例に何ら限定されることはなく、本発明の技術的範囲に属する限り種々の形態をとり得ることはいうまでもない。
【００４８】
例えば、実施例１の階段式移動観覧席１においては、座体１１の移動に伴って背もたれ１２を後方位置へ移動させる構成を例示したが、段床２の移動に伴って背もたれ１２を後方位置へ移動させる構成としてもよい。
【００４９】
具体的には、図５に示す階段式移動観覧席１ｂのように、背もたれ３１の下端に設けられる第１部材３２と、段床３３（３３ａ〜３３ｃ）及び最下段床３ａに設けられる第２部材３４と、を有する背もたれ移動機構を備える構成が考えられる。
【００５０】
図５において、段床３３ｂは段床３３ｃを基準として所定距離前方まで（使用状態の場合の位置まで）移動していない。このとき、第１部材３２と第２部材３４とは間隔が空い
ている。一方、段床３３ａは段床３３ｂを基準として所定距離前方まで移動しており、第１部材３２は第２部材３４によって前方に押圧され、背もたれ３１の主要部は後方に移動している。
【００５１】
即ち、この背もたれ移動機構は、背もたれ３１が設けられる段床３３に対して直下段床である段床３３が相対的に前方に移動する際に、第２部材３４が第１部材３２と係合して背もたれ３１を後方位置に移動させる。
【００５２】
このように構成された階段式移動観覧席１ｂは、段床３３を展開して使用状態とするときに背もたれ３１を後方位置に移動させることができる。なお第１部材３２及び第２部材３４は上述した構成に限られず、段床の移動に伴って第１部材が移動し、第１部材に係合して第２部材が移動して背もたれを移動させるものであれば、様々な形態とすることができる。
【００５３】
また第２部材３４は段床３３に直接固定されるものに限られず、段床３３に設けられている他の部材を介して連結されるものであってもよい。
【符号の説明】
【００５４】
１…階段式移動観覧席、２…段床、３…最下段床、１１…座体、１２…背もたれ、１５…リンク機構、１６…駆動機構、１７…回転軸、１８…回転軸保持部、２１…段床、２２…背もたれ、３１…背もたれ、３２…第１部材、３３…段床、３４…第２部材
【図１】
2015052224.tif 000003
【図２】
2015052224.tif 000004
【図３】
2015052224.tif 000005
【図４】
2015052224.tif 000006
【図５】
2015052224.tif 000007